(57)【要約】【課題】演出図柄表示装置における表示演出と、ランプ表示部における点灯演出と、を組み合わせた特殊演出の遊技性（遊技の意外性）を高めることができる遊技機を提供する。【解決手段】ランプ表示装置２００Ａは、発光する発光素子２０２Ａと、発光素子２０２Ａを露呈して発光素子２０２Ａからの光を遊技者に視認可能にし、あるいは発光素子２０２Ａを遮蔽して発光素子２０２Ａからの光を遊技者に視認不可能にする遮蔽部材２０４Ａと、遮蔽部材２０４Ａを駆動制御するソレノイド２０６Ａと、を有し、ソレノイド２０６Ａは、演出図柄表示装置６２の図柄表示演出とランプ表示装置２００Ａの点灯演出とを組み合わせた演出を実行するタイミングに合わせて発光素子２０２Ａが露呈するように遮蔽部材２０４Ａを駆動制御する。【選択図】      図１１
2009240433.tif 000002
【特許請求の範囲】
【請求項１】
所定の図柄表示演出を実行する図柄表示装置と、前記図柄表示装置を跨ぐようにして設けられ所定の点灯演出を実行するランプ表示装置と、前記図柄表示装置の前記図柄表示演出及び前記ランプ表示装置の前記点灯演出を制御する演出制御手段と、を有する遊技機であって、
前記ランプ表示装置は、発光する発光部材と、前記発光部材を露呈して前記発光部材からの光を遊技者に視認可能にし、あるいは前記発光部材を遮蔽して前記発光部材からの光を遊技者に視認不可能にする遮蔽部材と、前記遮蔽部材を駆動制御する駆動制御手段と、を有し、
前記駆動制御手段は、前記演出制御手段が前記図柄表示装置の前記図柄表示演出と前記ランプ表示装置の前記点灯演出とを組み合わせた演出を実行するタイミングに合わせて前記発光部材が露呈するように、前記遮蔽部材を駆動制御することを特徴とする遊技機。
【請求項２】
前記ランプ表示装置を複数設け、
複数の前記ランプ表示装置の間において前記遮蔽部材が前記発光部材を露呈する順序を記憶する記憶手段を有し、
前記駆動制御手段は、前記記憶手段に記憶された順序に基づいて前記遮蔽部材を制御することを特徴とする請求項１に記載の遊技機。
【請求項３】
前記ランプ表示装置は、前記発光部材からの光を反射する反射部材を備えていることを特徴とする請求項１又は２に記載の遊技機。
【発明の詳細な説明】
【技術分野】
【０００１】
本発明は、遊技球や遊技メダルなどの遊技媒体を用いて遊技を行うパチンコ機やスロットマシンなどの遊技機に関する。
【背景技術】
【０００２】
従来から、遊技盤の演出図柄表示装置の図柄表示画面を跨ぐようにランプ表示部を設け、図柄表示画面の画面表示とランプ表示部の点灯表示との組合せにより演出するパチンコ機が存在する（下記特許文献１参照）。
【特許文献１】特許第３９９８５９４号特許公報
【発明の開示】
【発明が解決しようとする課題】
【０００３】
ところで、上記パチンコ機は、ランプ表示装置が予め遊技者に視認可能な位置に設けられているため、遊技者は遊技中にランプ表示装置が点灯演出した場合でも、さほど驚くことが無い。すなわち、所定条件が成立して、演出図柄表示装置の図柄表示画面の画像表示演出とランプ表示装置の点灯演出とを組み合わせた演出制御を実行した場合でも、ランプ表示装置が点灯することは遊技者に予め知られているので、遊技性を高めるまでには至らなかった。
【０００４】
そこで、本発明は、演出図柄表示装置における表示演出と、ランプ表示部における点灯演出と、を組み合わせた特殊演出の遊技性（遊技の意外性）を高めることができる遊技機を提供することを目的とする。
【課題を解決するための手段】
【０００５】
請求項１に記載の発明は、所定の図柄表示演出を実行する図柄表示装置と、前記図柄表示装置を跨ぐようにして設けられ所定の点灯演出を実行するランプ表示装置と、前記図柄表示装置の前記図柄表示演出及び前記ランプ表示装置の前記点灯演出を制御する演出制御手段と、を有する遊技機であって、前記ランプ表示装置は、発光する発光部材と、前記発光部材を露呈して前記発光部材からの光を遊技者に視認可能にし、あるいは前記発光部材を遮蔽して前記発光部材からの光を遊技者に視認不可能にする遮蔽部材と、前記遮蔽部材を駆動制御する駆動制御手段と、を有し、前記駆動制御手段は、前記演出制御手段が前記図柄表示装置の前記図柄表示演出と前記ランプ表示装置の前記点灯演出とを組み合わせた演出を実行するタイミングに合わせて前記発光部材が露呈するように、前記遮蔽部材を駆動制御することを特徴とする。
【０００６】
請求項１に記載の発明によれば、図柄表示装置の図柄表示演出とランプ表示装置の点灯演出とを組み合わせた演出の実行タイミングに合わせて発光部材が露呈するように、遮蔽部材が駆動制御手段によって駆動制御される。これにより、遊技者は、当初、発光部材が遮蔽部材により遮蔽されているため、発光部材の存在に気が付かない。ところが、図柄表示装置の図柄表示演出とランプ表示装置の点灯演出とを組み合わせた演出の実行タイミングに合わせて、発光部材が露呈して発光演出が実行される。このため、遊技者はランプ表示装置に注目することになり、また遊技の意外性を感じることになる。この結果、遊技性を向上させることができる。
【０００７】
請求項２に記載の発明は、請求項１に記載の遊技機において、前記ランプ表示装置を複数設け、複数の前記ランプ表示装置の間において前記遮蔽部材が前記発光部材を露呈する順序を記憶する記憶手段を有し、前記駆動制御手段は、前記記憶手段に記憶された順序に基づいて前記遮蔽部材を制御することを特徴とする。
【０００８】
請求項２に記載の発明によれば、複数のランプ表示装置の間における遮蔽部材の発光部材を露呈する順序（タイミング）が記憶手段に記憶され、記憶手段に記憶された順序に基づいて遮蔽部材が駆動制御手段により駆動制御される。これにより、複数のランプ表示装置の間において発光部材が露呈するタイミングにバリエーションを持たせることができ、点灯演出が予測し難くなる。この結果、遊技の意外性を高め、遊技性を向上させることができる。
【０００９】
請求項３に記載の発明は、請求項１又は２に記載の遊技機において、前記ランプ表示装置は、前記発光部材からの光を反射する反射部材を備えていることを特徴とする。
【００１０】
請求項３に記載の発明によれば、ランプ表示装置は発光部材からの光を反射する反射部材を備えているため、発光部材の光量を集中させることができる。これにより、発光部材の点灯演出をさらに明るく、かつ遊技者に目立つようにすることができるため、遊技性を一層高めることができる。
【発明を実施するための最良の形態】
【００１１】
次に、本発明の第１実施形態に係る遊技機について、図面を参照して説明する。なお、本実施形態では本発明を弾球遊技機の一例であるパチンコ機に適用した構成を説明する。
【００１２】
図１に示すように、第１実施形態に係るパチンコ機（遊技機）１０の前面部には、主として、外枠１２と、内枠１４と、前面枠１６と、上皿部１８と、下皿部２０と、施錠装置２２と、発射ハンドル２４などが設けられている。
【００１３】
外枠１２は、木製の板状体を略長方形の額縁状に組立て固着したものである。内枠１４は、全体がブラスチック製で、外枠１２に対して開閉可能に軸支されている。また、内枠１４の右端中央からやや下方には、施錠装置２２が設けられている。
【００１４】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図２及び図３参照）を前方から視認するべく、遊技盤２６に形成された遊技領域２８（図２及び図３参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。
【００１５】
また、前面枠１６の下方側には、上皿部１８が設けられている。この上皿部１８には、演出ボタン４０と、球貸操作部１５５と、がそれぞれ設けられている。
【００１６】
また、上皿部１８の下方側には、下皿部２０が設けられている。また、下皿部２０の右下方側には、遊技球を発射させるための発射ハンドル２４が設けられている。この発射ハンドル２４には、発射レバー４４と、発射停止ボタン４６がそれぞれ設けられている。
【００１７】
また、下皿部２０の左右下方側には、所定の効果音を出力するための各サブスピーカ４８がそれぞれ設けられている。
【００１８】
また、内枠１４には、遊技領域２８の形状に合致した開口部（図示省略）が形成されている。この内枠１４の内側面には、遊技盤２６が取り付けられる。これにより、遊技者は、遊技盤２６の遊技領域２８を内枠１４の開口部及び前面枠１６の開口部３０を通して視認することができる。
【００１９】
さらに、パチンコ機１０の正面左側には、球貸装置１５４が設けられている。本実施形態では、球貸装置１５４として、ＣＲユニットが適用されている。この球貸装置１５４には、プリペイドカードを挿入するカード挿入口１５７が形成されている。なお、球貸装置１５４として、現金ユニットを設けた構成でもよい。この現金ユニットには、カード挿入口１５７に替えて、現金を入れるための現金投入口（図示省略）が形成されている。
【００２０】
また、球貸操作部１５５には、球貸しを要求するための球貸スイッチ（貸出操作手段）１５６、カード挿入口１５７に挿入されたプリペイドカードの返却を要求するための返却スイッチ１５８と、がそれぞれ設けられている。
【００２１】
例えば、球貸装置１５４のカード挿入口１５７にプリペイドカードを挿入すると、プリペイドカードの記憶情報が球貸装置１５４内部のカードリードライタにより読み取られる。プリペイドカードの残り度数が「０」である場合には、カード挿入口１５７から自動的にプリペイドカードが返却される。一方、プリペイドカードの残り度数が「０」でない場合には、球貸スイッチ１５６を押圧操作すると、カードリードライタによりプリペイドカードの残り度数が減算されてプリペイドカードの記憶情報が書き換えられると共に、その減算された度数（貸出金額）に対応する個数が引かれて、遊技球（貸球）が払出装置（遊技媒体払出手段）１６１から上皿部１８に案内される。このとき、例えば、プリペイドカードの残り度数が減算されて「０」となった場合には、カード挿入口１５７から自動的にプリペイドカードが返却される。
【００２２】
なお、球貸装置１５４として現金ユニットを用いる構成では、球貸装置の現金投入口に現金を投入すると、現金が球貸装置内部のキャッシュカウンタによりカウントされる。投入金額が所定の額に到達した後、球貸スイッチを押圧操作すると、キャッシュカウンタにより投入金額が減額されていくとともに、その減額された金額（貸出金額）に対応する個数が引かれて、遊技球（貸球）が払出装置１６１から上皿部１８に案内される。
【００２３】
次に、遊技盤２６の表面構造について説明する。
【００２４】
図２及び図３に示すように、遊技盤２６は、内枠１４に保持されるとともに、裏機構盤によりその背面側が覆われている。遊技盤２６には、遊技盤２６の表面に設けられた外レール５０と内レール５２とにより略円形状の遊技領域２８が形成されている。遊技領域２８の内部には、主として、始動口５６Ｂと、センター役物６４と、ワープ入球口５８と、多数の障害釘６０等と、がそれぞれ配設されている。
【００２５】
センター役物６４は、遊技領域２８の略中央部に配置されており、主として、演出図柄表示装置（図柄表示装置）６２と、ランプ類６６と、を備えている。
【００２６】
演出図柄表示装置６２は、主制御基板１０２（図４参照）やサブ制御基板１０６（（演出制御手段）図４参照）からの制御信号に基づいて表示制御されており、略長方形状の表示面（表示領域）６２Ａを有している。この表示面６２Ａ上には、特別図柄の演出図柄が表示される。具体的には、演出図柄表示装置６２の表示面６２Ａ上には、１又は複数の演出図柄を所定の方向に次々と変動させながら表示した後、停止表示する演出図柄表示領域が形成されている。すなわち、左演出図柄を表示する左演出図柄表示領域、中央演出図柄を表示する中央演出図柄表示領域、及び右演出図柄を表示する右演出図柄表示領域が、略横一列となる配置方向に沿って並んで形成されている（それぞれ図示省略）。各演出図柄表示領域は、これらの表示領域の配置方向と略直交する方向（上下方向）に図柄変動方向が設定されており、その方向に複数の演出図柄が順次表示されていく。
【００２７】
ここで、演出図柄表示装置６２の表示面６２Ａの近傍（表示面６２Ａの４つ角）には、４つのランプ表示装置２００Ａ、２００Ｂ、２００Ｃ、２００Ｄが設けられている。各ランプ表示装置２００Ａ、２００Ｂ、２００Ｃ、２００Ｄは、演出図柄表示装置６２の表示面６２Ａを跨ぐようにして配置されている。各ランプ表示装置２００Ａ、２００Ｂ、２００Ｃ、２００Ｄの構成については、後述する。
【００２８】
演出図柄表示装置６２は、遊技球が始動口５６Ｂに入球することにより、その表示面の表示領域に表示される各演出図柄をそれぞれ変動させて停止表示させるものである。そして、例えば、演出図柄が「７、７、７」の３桁同一図柄で揃って停止表示（確定表示）すると、変動入賞装置８０に配設された大入賞装置８４の大入賞口８６が開放される。本実施形態のパチンコ機１０では始動口５６Ｂに遊技球が入球すると、各演出図柄がそれぞれ変動され、演出図柄が３桁同一図柄で揃うことにより、「大当り」という特定価値を付与するものである。
【００２９】
ここで、本実施形態のパチンコ機１０では、例えば、大当りとして２種類のものが予め設定されている。具体的には、「７、７、７」などの同一の奇数数字の演出図柄が３桁揃うことにより成立する確変大当りがある。また、「８、８、８」などの同一の偶数数字の演出図柄が３桁揃うことにより成立する通常大当りがある。
【００３０】
確変大当り及び通常大当りは、比較的多くのラウンド数（例えば、１５ラウンド）を有し、大入賞口８６の開放時間が約２６秒間である大当りである。このため、賞球数が比較的多くなる。なお、各大当りでは、大入賞口８６に所定数（例えば、１０個）の遊技球が入球するか、あるいは所定数（例えば、１０個）の遊技球が入球しなくても所定時間（例えば、２６秒間）が経過したときに大入賞口８６が閉じられて１ラウンドが終了する。
【００３１】
また、確率変動状態は、大当り（確変大当り及び通常大当りの２種類の大当りを意味する）に移行する確率が予め定められた高確率となる状態である。また、開放時間延長状態は、始動口５６Ｂの開放時間が通常よりも延長される状態である。例えば、通常の開放時間は、約０．１秒間であるのに対して、開放時間延長状態では、約４秒間に延長される。なお、始動口５６Ｂは、普通図柄の抽選に当選することにより開放するもので、普通電動役物として機能する。
【００３２】
また、確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ始動口５６Ｂの開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ始動口５６Ｂの開放延長機能が作動する時短遊技状態となる。
【００３３】
センター役物６４は、演出図柄表示装置６２の前面周辺部に突設して装着されている。センター役物６４は、可動する一対の翼片部６４Ａを有している。この翼片部６４Ａの可動によりワープ入球口５８の開口面積が変化する。
【００３４】
また、遊技領域の左下方側には、主制御基板１０２からの制御信号に基づいて識別図柄（特別図柄の識別図柄及び普通図柄の識別図柄を意味する）を表示制御する７セグ表示基板（図柄表示装置）６８が配置されている。この７セグ表示基板６８は、特別図柄の識別図柄を表示する７セグメント表示器７０と、４個の普通図柄保留表示ＬＥＤ７２と、４個の特別図柄保留表示ＬＥＤ７４と、普通図柄の識別図柄を表示する２個の普通図柄表示ＬＥＤ７６と、を有している。
【００３５】
ここで、確変大当りした場合では、７セグメント表示器７０には、予め定められた識別図柄（例えば、奇数の数字からなる確変大当り図柄）が停止表示される。また、通常大当りした場合では、７セグメント表示器７０には、予め定められた別の識別図柄（例えば、偶数の数字からなる通常大当り図柄）が停止表示される。
【００３６】
また、演出図柄表示装置６２の左側には、普通図柄作動ゲート７８が配置されている。この普通図柄作動ゲート７８の内部には、ゲートスイッチ１２４（図４参照）が配設されている。これにより、遊技球が普通図柄作動ゲート７８を通過すると、ゲートスイッチ１２４が作動して、７セグ表示基板６８の普通図柄表示ＬＥＤ７６が変動表示される。
【００３７】
各普通図柄保留表示ＬＥＤ７２及び各特別図柄保留表示ＬＥＤ７４は、４個の丸形の赤色ＬＥＤで構成されており、７セグメント表示器７０の左右両側に近接して配置されている。これは、普通図柄作動ゲート７８を通過した遊技球の数を４個まで普通図柄の保留とし、通過ごとに順次点灯しシフト表示するものである。また、始動口５６Ｂに入球した遊技球の数も４個まで特別図柄の保留とし、入球ごとに順次点灯しシフト表示するものである。７セグメント表示器７０の変動表示が開始する度に、未始動回数が消化され、１個の特別図柄保留表示ＬＥＤ７４は消灯される。また、普通図柄も普通図柄表示ＬＥＤ７６の変動表示が開始するたびに、未始動回数が消化され、１個の普通図柄保留表示ＬＥＤ７２が消灯される。そして、７セグメント表示器７０に予め定められた大当り図柄が停止表示されると大当りが発生し、大入賞口８６が開放状態となる。また、２個の普通図柄表示ＬＥＤ７６が予め定められた表示態様（当り図柄）で停止表示されると、普通図柄当りが発生し、始動口５６Ｂが開放状態となる。なお、７セグメント表示器７０にて表示される特別図柄の識別図柄と、演出図柄表示装置６２にて表示される特別図柄の演出図柄とは、同一の遊技結果（抽選結果）を示すものである。
【００３８】
始動口５６Ｂは、演出図柄表示装置６２の下方に離れて配置されているものであり、いわゆるチューリップ式で一対の翼片部材５６Ａが開閉するように形成されている。その内部には、遊技球の通過を検知する始動口スイッチ１２０（図４参照）と、翼片部材５６Ａを作動させるための始動口ソレノイド１３０（図４参照）と、がそれぞれ備えられている。この一対の翼片部材５６Ａが左右に開くと始動口５６Ｂの開放面積が大きくなって遊技球の入球可能性が大きくなる開放状態となり、一対の翼片部材５６Ａが閉じその離間距離が小さくなると始動口５６Ｂの開放面積が小さくなって遊技球の入球の可能性が小さくなる通常状態となる。
【００３９】
変動入賞装置８０は、始動口５６Ｂの下方に配置されており、基板８２と、大入賞装置８４と、を備えている。ここで、大入賞装置８４は、略中央に配置されており、帯状に開口された大入賞口８６と、この大入賞口８６を開放又は閉鎖する開閉板８８と、この開閉板８８を開閉するための大入賞口ソレノイド１３２（図４参照）と、入賞球を検知するカウントスイッチ１２６（図４参照）と、を備えている。
【００４０】
また、センター役物６４の左側下方部には、風車６３が配置されている。さらに、遊技領域の左側下方部及び右側下方部には、一対のサイドランプ９０がそれぞれ配置されている。
【００４１】
また、遊技盤２６の下方にはアウト口９２が設けられており、このアウト口９２の下部にはバック球防止部材９４が設けられている。このバック球防止部材９４は、遊技領域２８に到達せず戻ってきた遊技球が再び発射位置に戻ることを防止している。また、内レール５２の先端部には、ファール球防止部材９６が取り付けられている。
【００４２】
次に、パチンコ機１０を構成する電子制御装置について説明する。
【００４３】
図４及び図５に示すように、電子制御装置は、主制御基板１０２と、払出制御基板１０４と、サブ制御基板１０６と、発射制御基板１０８と、を備えている。
【００４４】
主制御基板１０２は、ＣＰＵ１０２Ａと、ＲＯＭ１０２Ｂと、を備えている。主制御基板１０２のＣＰＵ１０２Ａは、ＲＯＭ１０２Ｂに記憶されたデータに基づいて、始動口ソレノイド１３０、大入賞口ソレノイド１３２、図柄表示装置１３４及びサブ制御基板１０６をそれぞれ制御する。また、主制御基板１０２のＣＰＵ１０２Ａは、遊技全体を司り主として当否判定などの遊技状態を判断するものである。
【００４５】
特に、ＣＰＵ１０２Ａは、始動口５６Ｂへの遊技球の入球を契機として、大当り抽選処理（特別遊技抽選処理）を実行し、任意の乱数（特別図柄当否判定乱数）を用いて当否を判定する機能を備えている。また、特別図柄の当否判定の実行に伴って、ＣＰＵ１０２Ａは、特別図柄（識別図柄）の変動パターン（変動時間）を決定する機能も備えている。
【００４６】
この識別図柄の変動パターンは、演出図柄表示装置６２に表示される各演出図柄の演出パターン（遊技演出）に対応するもので、ＣＰＵ１０２Ａが行う「識別図柄の変動パターンの決定」は、「演出図柄の演出パターン（遊技演出）の決定」に相当する。そして、特別図柄（識別図柄）の変動パターン（演出図柄の演出パターン）が決定されると、７セグメント表示器７０で特別図柄（識別図柄）の変動表示が開始されるとともに、演出図柄表示装置６２で演出図柄の変動表示が開始され、決定された変動パターンにより特定される変動時間が経過すると、特別図柄および演出図柄が停止表示され、その停止表示された演出図柄の図柄組み合わせ態様により、特別図柄の当否判定結果（大当り抽選結果）が遊技者に報知される。なお、演出図柄表示装置６２は、遊技盤２６の表面（盤面）略中央に、遊技者の視野に入り易い状態で配置される。一方、７セグメント表示器７０は、遊技盤２６の表面（盤面）の端部（本実施形態では盤面左側端部）に、遊技者の視野に入り難い状態で配置される。このことから、遊技者は演出図柄表示装置６２の表示内容に注目して遊技を行うのが一般的である。
【００４７】
そして、ＣＰＵ１０２Ａは、上述した演出図柄の変動表示及び停止表示の制御を行うサブ制御基板１０６、及び遊技盤面に設けられた各種入賞口に遊技球が入球することで発生する賞球の払い出し制御を行う払出制御基板１０４を直接的に制御する。また、主制御基板１０２のＣＰＵ１０２Ａは、演出表示基板１１０、アンプ基板１１２、装飾駆動基板１１４及び演出ボタン基板１１６をサブ制御基板１０６を介して間接的に制御する。
【００４８】
主制御基板１０２のＲＯＭ１０２Ｂには、ＣＰＵ１０２Ａにより実行される遊技全体の制御を実現するためのプログラムが記憶されている。
【００４９】
また、主制御基板１０２は、中継端子板１１８を介して、始動口スイッチ１２０と、大入賞口スイッチ１２２と、ゲートスイッチ１２４と、カウントスイッチ１２６と、にそれぞれ電気的に接続されている。
【００５０】
また、主制御基板１０２は、中継端子板１２８を介して、始動口ソレノイド１３０と、大入賞口ソレノイド１３２と、図柄表示装置１３４と、にそれぞれ電気的に接続されている。なお、７セグ表示基板６８は、図柄表示装置１３４の一実施形態である。
【００５１】
払出制御基板１０４は、中継端子板１３６を介して、ガラス枠スイッチ１３８と、外部タンクスイッチ１４０と、タンクスイッチ１４２と、にそれぞれ電気的に接続されている。また、払出制御基板１０４は、中継端子板１４４を介して、エラーＬＥＤ１４６に電気的に接続されている。また、払出制御基板１０４は、下皿満タンスイッチ１４８に電気的に接続されている。また、払出制御基板１０４は、中継端子板１５０を介して、球貸表示基板１５２と、球貸装置（ＣＲユニット）１５４と、にそれぞれ電気的に接続されている。
【００５２】
なお、球貸表示基板１５２には、球貸スイッチ１５６と、返却スイッチ１５８と、がそれぞれ電気的に接続されている。また、払出制御基板１０４は、中継端子板１６０を介して、払出モータ１６２を備えた払出装置１６１と払出スイッチ１６４とにそれぞれ電気的に接続されている。さらに、払出制御基板１０４は、主制御基板１０２と発射制御基板１０８とにそれぞれ電気的に接続されている。
【００５３】
図４及び図５に示すように、サブ制御基板１０６は、演出表示基板１１０と、アンプ基板１１２と、装飾駆動基板１１４と、演出ボタン基板１１６と、にそれぞれ電気的に接続されている。
【００５４】
また、サブ制御基板１０６は、主制御基板１０２からの制御信号に基づいて遊技の演出の制御を司るものである。また、サブ制御基板１０６は、ＣＰＵ１０６Ａと、ＲＯＭ１０６Ｂと、を備えている。
【００５５】
サブ制御基板１０６のＣＰＵ１０６Ａは、主制御基板１０２からの制御信号を受けて演出表示基板１１０、アンプ基板１１２、装飾駆動基板１１４及び演出ボタン基板１１６などの各基板を制御する。
【００５６】
ＲＯＭ１０６Ｂには、各基板の制御に必要なデータ（特に遊技の装飾に関する情報）が記憶されている。
【００５７】
図５に示すように、演出表示基板１１０には、演出表示装置１６６（６２）と、演出表示ＲＯＭ１６８と、がそれぞれ電気的に接続されている。この演出表示ＲＯＭ１６８には、演出図柄表示装置６２に変動表示及び停止表示される演出図柄のデータ（画像データ）が記憶されている。特に、演出表示ＲＯＭ１６８には、後述の特殊演出を構成する演出図柄（例えば、後述の稲妻光に関する画像）に関するデータが記憶されている。なお、演出図柄表示装置６２は、演出表示装置１６６の一実施形態である。
【００５８】
また、アンプ基板１１２には、所定の効果音を出力する各種スピーカ１７０（４８）が電気的に接続されている。なお、サブスピーカ４８は、各種スピーカ１７０の一実施形態である。
【００５９】
また、装飾駆動基板１１４には、各種ＬＥＤ・ランプ１７２（６６）が電気的に接続されている。また、装飾駆動基板１１４は、サブ制御基板１０６からの制御信号を受けて遊技の装飾に関する制御を行うものである。特に、装飾駆動基板１１４は、サブ制御基板１０６からの制御信号に基づいて、各ランプ類６６の発光を制御する。また、装飾駆動基板１１４には、各ランプ表示装置２００Ａ、２００Ｂ、２００Ｃ、２００Ｄの発光素子（発光部材）２０２Ａ、２０２Ｂ、２０２Ｃ、２０２Ｄが電気的に接続されている。また、装飾駆動基板１１４には、各ランプ表示装置２００Ａ、２００Ｂ、２００Ｃ、２００Ｄの遮蔽部材２０４Ａ、２０４Ｂ、２０４Ｃ、２０４Ｄを開閉させるソレノイド（駆動制御手段）２０６Ａ、２０６Ｂ、２０６Ｃ、２０６Ｄが電気的に接続されている。そして、装飾駆動基板１１４は、サブ制御基板１０６からの特殊演出に関する制御信号を受けて、発光素子２０２Ａ、２０２Ｂ、２０２Ｃ、２０２Ｄの発光と、ソレノイド２０６Ａ、２０６Ｂ、２０６Ｃ、２０６Ｄを介した遮蔽部材２０４Ａ、２０４Ｂ、２０４Ｃ、２０４Ｄの開閉動作と、をそれぞれ制御する。また、装飾駆動基板１１４に実装されるＲＯＭ（記憶手段）１１５には、各ランプ表示装置２００Ａ、２００Ｂ、２００Ｃ、２００Ｄの発光素子２０２Ａ、２０２Ｂ、２０２Ｃ、２０２Ｄの発光順序と、各ランプ表示装置２００Ａ、２００Ｂ、２００Ｃ、２００Ｄの遮蔽部材２０４Ａ、２０４Ｂ、２０４Ｃ、２０４Ｄの開閉順序と、に関するプログラムデータが記憶されている。また、演出ボタン基板１１６には、操作スイッチ１７４（４０）が電気的に接続されている。なお、ランプ類６６は、各種ＬＥＤ・ランプ１７２の一実施形態である。また、演出ボタン４０は、操作スイッチ１７４の一実施形態である。
【００６０】
次に、ランプ表示装置２００Ａ、２００Ｂ、２００Ｃ、２００Ｄの構成について詳細に説明する。なお、各ランプ表示装置２００Ａ、２００Ｂ、２００Ｃ、２００Ｄは、演出図柄表示装置６２の表示面６２Ａの角部近傍に４つ存在するが、全て同じ構成であるため、１つのランプ表示装置２００Ａを例に挙げて説明する。
【００６１】
図６及び図７に示すように、ランプ表示装置２００Ａは、センター役物６４に設けられている。すなわち、ランプ表示装置２００Ａは、センター役物６４の表面に形成された凹部（溝部）に設けられた複数の発光素子（ＬＥＤ群）２０２Ａを備えている。この発光素子２０２Ａの発光は、サブ制御基板１０６により装飾駆動基板１１４を介して制御される。また、発光素子２０２Ａの前方には、透光部材２０８が設けられている。この透光部材２０８には、発光素子２０２Ａから出射された光が透過する。透光部材２０８は、既存のレンズなどにより構成されている。また、透光部材２０８の前方には、板状の遮蔽部材２０４Ａが設けられている。この遮蔽部材２０４Ａには、ソレノイド２０６Ａが機械的に接続されている。ソレノイド２０６Ａは、電気的エネルギを機械的直線運動に変換し、ソレノイドの可動鉄芯に結合された機構である遮蔽部材２０４Ａを駆動するものである。つまり、遮蔽部材２０４Ａと連結し、固定鉄芯から一定の距離（ストローク）に引き離された可動鉄芯は、コイルに電流を流した時に発生する磁束によって、固定鉄芯との間に作用する吸引力により、固定鉄芯に向かってその軸方向に急速かつ直線的に固定鉄芯に密着するまで移動し、遮蔽部材に機械的運動を与えるものである。そして、コイルの通電を継続すれば可動鉄芯は、固定鉄芯に吸着した状態を保つが、電流を遮断すればバネの弾性力により元の位置まで引き戻される。このように、コイルへの通電を制御（ＯＮ／ＯＦＦ）することにより可動鉄芯を固定鉄芯に対して相対移動させることができ、可動鉄芯に取り付けられた遮蔽部材２０４Ａを可動鉄芯の移動方向に沿って移動させることができる。なお、ソレノイド２０６Ａのコイルへの通電制御は、サブ制御基板１０６により装飾駆動基板１１４を介して実行される。
【００６２】
ここで、遮蔽部材２０４Ａは、ソレノイド２０６Ａにより引き出されると、発光素子２０２Ａの前方であってセンター役物６４に形成された凹部６５の開口部を閉塞する部位に移動する。この状態では、発光素子２０２Ａ及び透光部材２０８が遮蔽部材２０４Ａで覆われた状態になっており、遊技者は、発光素子２０２Ａ及び透光部材２０８を視認することができない。このため、発光素子２０２Ａが発光しても、遊技者はその光を確認することができなくなる。一方、遮蔽部材２０４Ａは、ソレノイド２０６Ａにより引き戻されると、センター役物６４の表面内部にスライド移動して、センター役物６４の凹部６５の開口部を開放する部位に移動する。この状態では、発光素子２０２Ａ及び透光部材２０８が露呈された状態になっており、遊技者は、発光素子２０２Ａ及び透光部材２０８を視認することができる。このため、発光素子２０２Ａが発光すると、遊技者はその光を確認することができる。
【００６３】
このように、４つのランプ表示装置２００Ａ、２００Ｂ、２００Ｃ、２００Ｄは、遮蔽部材２０４Ａ、２０４Ｂ、２０４Ｃ、２０４Ｄの開閉動作により発光素子２０２Ａ、２０２Ｂ、２０２Ｃ、２０２Ｄの発光演出が視認可能になったり、視認不可能になったりする。
【００６４】
また、図８に示すように、遮蔽部材２０４Ａの表面には、所定の装飾図２０５が描かれている。このため、遮蔽部材２０４Ａが発光素子２０２Ａ及び透光部材２０８を覆っている状態では、遊技者は、遮蔽部材２０４Ａの装飾図２０５に見とれるため、遮蔽部材２０４Ａがスライドするとは思わない。このため、遮蔽部材２０４Ａがスライドして、発光素子２０２Ａ及び透光部材２０８が露呈すると、遊技者は、遊技の意外性を感じ、遊技性を高めることができる。
【００６５】
なお、ソレノイド２０６Ａは、センター役物６４の裏面側に隠れており、遊技者からは視認することができなくなっている。また、遮蔽部材２０４Ａをスライドさせる駆動手段は、ソレノイド２０６Ａに限られるものではなく、例えば、モータなどの別の駆動源でもよい。
【００６６】
次に、演出図柄表示装置６２における図柄表示演出と各ランプ表示装置２００Ａ、２００Ｂ、２００Ｃ、２００Ｄにおける点灯演出との組み合わせによって完成する特殊演出の第１実施例について説明する。本特殊演出の第１実施例では、図２、図３及び図９（Ａ）、（Ｂ）、（Ｃ）、（Ｄ）、（Ｅ）に示すように、先ず、演出図柄表示装置６２の表示面６２Ａ右上のランプ表示装置２０２Ｂの遮蔽部材２０４Ｂが開き、内部の発光素子２０２Ｂが発光し、次いで、演出図柄表示装置６２の表示面６２Ａ左下のランプ表示装置２００Ｄの遮蔽部材２０４Ｄが開き、内部の発光素子２０２Ｄが発光し、次いで、演出図柄表示装置６２の表示面６２Ａ左上のランプ表示装置２００Ａの遮蔽部材２０４Ａが開き、内部の発光素子２０２Ａが発光し、次いで、演出図柄表示装置６２の表示面６２Ａ右下のランプ表示装置２００Ｃの遮蔽部材２０４Ｃが開き、内部の発光素子２０２Ｃが発光する順番で特殊演出が実行される。
【００６７】
すなわち、図１０に示すように、通常遊技状態（大当り遊技、確変遊技、時短遊技以外の遊技（例えば、遊技開始時））には、全てのランプ表示装置２００Ａ、２００Ｂ、２００Ｃ、２００Ｄは、遮蔽部材２０４Ａ、２０４Ｂ、２０４Ｃ、２０４Ｄにより発光素子２０２Ａ、２０２Ｂ、２０２Ｃ、２０２Ｄが覆われた状態（隠れた状態）になっている。このため、遊技者は、各ランプ表示装置２００Ａ、２００Ｂ、２００Ｃ、２００Ｄの発光素子２０２Ａ、２０２Ｂ、２０２Ｃ、２０２Ｄを視認することができず、ランプ表示装置２００Ａ、２００Ｂ、２００Ｃ、２００Ｄの存在に容易に気付くことはできない。
【００６８】
そして、遊技者に有利な遊技状態（大当り遊技、確変遊技、時短遊技のいずれかの遊技状態）になると、先ず、図１１に示すように、演出図柄表示装置６２の表示面６２Ａ右上のランプ表示装置２００Ｂの遮蔽部材２０４Ｂが開き、内部の発光素子２０２Ｂが発光する。ここで、遮蔽部材２０４Ｂの開動作及び発光素子２０２Ｂの発光動作は、サブ制御基板１０６により装飾駆動基板１１４を介して制御される。これにより、遊技者は、演出図柄表示装置６２の表示面６２Ａの外側右上が発光（例えば、稲妻の光）しているように認識する。
【００６９】
次に、図１２に示すように、演出図柄表示装置６２の表示面６２Ａ右上のランプ表示装置２００Ｂの遮蔽部材２０４Ｂが開き、内部の発光素子２０２Ｂが発光すると同時に、演出図柄表示装置６２の表示面６２Ａの右上から左下にかけて所定の図柄が表示される。本実施形態では、稲妻の光を示す図柄が演出図柄表示装置６２の表示面６２Ａの右上から左下にかけて徐々に広がっていく（稲妻が落ちていく）ように演出される。演出図柄表示装置６２の表示面６２Ａにおける図柄演出は、サブ制御基板１０６により演出表示基板１１０を介して制御される。
【００７０】
図１３に示すように、所定の図柄（例えば、稲妻光）が演出図柄表示装置６２の表示面６２Ａの右上から左下に到達するタイミングで、演出図柄表示装置６２の表示面６２Ａ左下のランプ表示装置２００Ｄの遮蔽部材２０４Ｄが開き、内部の発光素子２０２Ｄが発光する。ここで、遮蔽部材２０４Ｄの開動作及び発光素子２０２Ｄの発光動作は、サブ制御基板１０６により装飾駆動基板１１４を介して制御される。この第１段階で、演出図柄表示装置６２の表示面６２Ａの外側右上から、演出図柄表示装置６２の表示面６２Ａの右上から左下にわたる領域を経て、演出図柄表示装置６２の表示面６２Ａの外側左下まで、にかけて１本の稲妻の光っているかのような印象を遊技者に与えることになる。
【００７１】
次に、図１４に示すように、演出図柄表示装置６２の表示面６２Ａ左上のランプ表示装置２００Ａの遮蔽部材２０４Ａが開き、内部の発光素子２０２Ａが発光する。ここで、遮蔽部材２０４Ａの開動作及び発光素子２０２Ａの発光動作は、サブ制御基板１０６により装飾駆動基板１１４を介して制御される。これにより、遊技者は、演出図柄表示装置６２の表示面６２Ａの外側左上が発光（例えば、稲妻の光）しているように認識する。
【００７２】
次に、図１５に示すように、演出図柄表示装置６２の表示面６２Ａ左上のランプ表示装置２００Ａの遮蔽部材２０４Ａが開き、内部の発光素子２０２Ａが発光すると同時に、演出図柄表示装置６２の表示面６２Ａの左上から右下にかけて所定の図柄が表示される。本実施形態では、稲妻の光を示す図柄が演出図柄表示装置６２の表示面６２Ａの左上から右下にかけて徐々に広がっていく（稲妻が落ちていく）ように演出される。
【００７３】
図１６に示すように、所定の図柄（例えば、稲妻光）が演出図柄表示装置６２の表示面６２Ａの左上から右下に到達するタイミングで、演出図柄表示装置６２の表示面６２Ａ右下のランプ表示装置２００Ｃの遮蔽部材２０４Ｃが開き、内部の発光素子２０２Ｃが発光する。ここで、遮蔽部材２０４Ｃの開動作及び発光素子２０２Ｃの発光動作は、サブ制御基板１０６により装飾駆動基板１１４を介して制御される。この第２段階で、演出図柄表示装置６２の表示面６２Ａの外側左上から、演出図柄表示装置６２の表示面６２Ａの左上から右下にわたる領域を経て、演出図柄表示装置６２の表示面６２Ａの外側右下まで、にかけて１本の稲妻の光っているかのような印象を遊技者に与えることになる。
【００７４】
ここで、第１段階の演出（演出図柄表示装置６２の表示面６２Ａの外側右上から、演出図柄表示装置６２の表示面６２Ａの右上から左下にわたる領域を経て、演出図柄表示装置６２の表示面６２Ａの外側左下まで、にかけて１本の稲妻の光っている演出）は、第２段階の演出中も継続しているため、演出図柄表示装置６２の表示面６２Ａ及びその近傍には、「×（クロス）」状に稲妻が光っているかのような特殊演出が完成する。
【００７５】
なお、図２及び図１０に示すように、遊技者に有利な遊技状態が終了すると、全てのランプ表示装置２００Ａ、２００Ｂ、２００Ｃ、２００Ｄの遮蔽部材２０４Ａ、２０４Ｂ、２０４Ｃ、２０４Ｄが各発光素子２０２Ａ、２０２Ｂ、２０２Ｃ、２０２Ｄを覆うように移動する。これにより、全てのランプ表示装置２００Ａ、２００Ｂ、２００Ｃ、２００Ｄの各発光素子２０２Ａ、２０２Ｂ、２０２Ｃ、２０２Ｄが隠れてしまい、遊技者に視認不可能となる。
【００７６】
次に、演出図柄表示装置６２における図柄表示演出とランプ表示装置２００Ａ、２００Ｂ、２００Ｃ、２００Ｄにおける点灯演出との組み合わせによって完成する特殊演出の第２実施例について説明する。本特殊演出の第２実施例では、図２、図３及び図１７（Ａ）、（Ｂ）、（Ｃ）、（Ｄ）、（Ｅ）に示すように、先ず、演出図柄表示装置６２の表示面６２Ａ右下のランプ表示装置２００Ｃの遮蔽部材２０４Ｃが開き、内部の発光素子２０２Ｃが発光し、次いで、演出図柄表示装置６２の表示面６２Ａ左上のランプ表示装置２００Ａの遮蔽部材２０４Ａが開き、内部の発光素子２０２Ａが発光し、次いで、演出図柄表示装置６２の表示面６２Ａ右上のランプ表示装置２００Ｂの遮蔽部材２０４Ｂが開き、内部の発光素子２０２Ｂが発光し、次いで、演出図柄表示装置６２の表示面６２Ａ左下のランプ表示装置２００Ｄの遮蔽部材２０４Ｄが開き、内部の発光素子２０２Ｄが発光する順番で特殊演出が実行される。
【００７７】
すなわち、図１０に示すように、通常遊技状態（大当り遊技、確変遊技、時短遊技以外の遊技（例えば、遊技開始時））には、全てのランプ表示装置２００Ａ、２００Ｂ、２００Ｃ、２００Ｄは、遮蔽部材２０４Ａ、２０４Ｂ、２０４Ｃ、２０４Ｄにより発光素子２０２Ａ、２０２Ｂ、２０２Ｃ、２０２Ｄが覆われた状態（隠れた状態）になっている。このため、遊技者は、各ランプ表示装置２００Ａ、２００Ｂ、２００Ｃ、２００Ｄの発光素子２０２Ａ、２０２Ｂ、２０２Ｃ、２０２Ｄを視認することができず、ひいてはランプ表示装置２００Ａ、２００Ｂ、２００Ｃ、２００Ｄの存在に容易に気付くことはできない。
【００７８】
そして、遊技者に有利な遊技状態（大当り遊技、確変遊技、時短遊技のいずれかの遊技状態）になると、先ず、図１８に示すように、演出図柄表示装置６２の表示面６２Ａ右下のランプ表示装置２００Ｃの遮蔽部材２０４Ｃが開き、内部の発光素子２０２Ｃが発光する。ここで、遮蔽部材２０４Ｃの開動作及び発光素子２０２Ｃの発光動作は、サブ制御基板１０６により装飾駆動基板１１４を介して制御される。これにより、遊技者は、演出図柄表示装置６２の表示面６２Ａの外側右下が発光（例えば、稲妻の光）しているように認識する。
【００７９】
次に、図１９に示すように、演出図柄表示装置６２の表示面６２Ａ右下のランプ表示装置２００Ｃの遮蔽部材２０４Ｃが開き、内部の発光素子２０２Ｃが発光すると同時に、演出図柄表示装置６２の表示面６２Ａの右下から左上にかけて所定の図柄が表示される。本実施形態では、稲妻の光を示す図柄が演出図柄表示装置６２の表示面６２Ａの右下から左上にかけて徐々に広がっていく（稲妻が走る）ように演出される。演出図柄表示装置６２の表示面６２Ａにおける図柄演出は、サブ制御基板１０６により演出表示基板１１０を介して制御される。
【００８０】
図２０に示すように、所定の図柄（例えば、稲妻光）が演出図柄表示装置６２の表示面６２Ａの右下から左上に到達するタイミングで、演出図柄表示装置６２の表示面６２Ａ左上のランプ表示装置２００Ａの遮蔽部材２０４Ａが開き、内部の発光素子２０２Ａが発光する。ここで、遮蔽部材２０４Ａの開動作及び発光素子２０２Ａの発光動作は、サブ制御基板１０６により装飾駆動基板１１４を介して制御される。この第１段階で、演出図柄表示装置６２の表示面６２Ａの外側右下から、演出図柄表示装置６２の表示面６２Ａの右下から左上にわたる領域を経て、演出図柄表示装置６２の表示面６２Ａの外側左上まで、にかけて１本の稲妻の光っているかのような印象を遊技者に与えることになる。
【００８１】
次に、図２１に示すように、演出図柄表示装置６２の表示面６２Ａ右上のランプ表示装置２００Ｂの遮蔽部材２０４Ｂが開き、内部の発光素子２０２Ｂが発光する。ここで、遮蔽部材２０４Ｂの開動作及び発光素子２０２Ｂの発光動作は、サブ制御基板１０６により装飾駆動基板１１４を介して制御される。これにより、遊技者は、演出図柄表示装置６２の表示面６２Ａの外側右上が発光（例えば、稲妻の光）しているように認識する。
【００８２】
次に、図２２に示すように、演出図柄表示装置６２の表示面６２Ａ右上のランプ表示装置２００Ｂの遮蔽部材２０４Ｂが開き、内部の発光素子２０２Ｂが発光すると同時に、演出図柄表示装置６２の表示面６２Ａの右上から左下にかけて所定の図柄が表示される。本実施形態では、稲妻の光を示す図柄が演出図柄表示装置６２の表示面６２Ａの右上から左下にかけて徐々に広がっていく（稲妻が落ちていく）ように演出される。
【００８３】
図２３に示すように、所定の図柄（例えば、稲妻光）が演出図柄表示装置６２の表示面６２Ａの右上から左下に到達するタイミングで、演出図柄表示装置６２の表示面６２Ａ左下のランプ表示装置２００Ｄの遮蔽部材２０４Ｄが開き、内部の発光素子２０２Ｄが発光する。ここで、遮蔽部材２０４Ｄの開動作及び発光素子２０２Ｄの発光動作は、サブ制御基板１０６により装飾駆動基板１１４を介して制御される。この第２段階で、演出図柄表示装置６２の表示面６２Ａの外側右上から、演出図柄表示装置６２の表示面６２Ａの右上から左下にわたる領域を経て、演出図柄表示装置６２の表示面６２Ａの外側左下まで、にかけて１本の稲妻の光っているかのような印象を遊技者に与えることになる。
【００８４】
ここで、第１段階の演出（演出図柄表示装置６２の表示面６２Ａの外側右下から、演出図柄表示装置６２の表示面６２Ａの右下から左上にわたる領域を経て、演出図柄表示装置６２の表示面６２Ａの外側左上まで、にかけて１本の稲妻の光っている演出）は、第２段階の演出中も継続しているため、演出図柄表示装置６２の表示面６２Ａ及びその近傍には、「×（クロス）」状に稲妻が光っているかのような特殊演出が完成する。
【００８５】
なお、図２及び図１０に示すように、遊技者に有利な遊技状態が終了すると、全てのランプ表示装置２００Ａ、２００Ｂ、２００Ｃ、２００Ｄの遮蔽部材２０４Ａ、２０４Ｂ、２０４Ｃ、２０４Ｄが各発光素子２０２Ａ、２０２Ｂ、２０２Ｃ、２０２Ｄを覆うように移動する。これにより、全てのランプ表示装置２００Ａ、２００Ｂ、２００Ｃ、２００Ｄの各発光素子２０２Ａ、２０２Ｂ、２０２Ｃ、２０２Ｄが隠れてしまい、遊技者に視認不可能となる。
【００８６】
次に、演出図柄表示装置６２における図柄表示演出とランプ表示装置２００Ａ、２００Ｂ、２００Ｃ、２００Ｄにおける点灯演出との組み合わせによって完成する特殊演出の第３実施例について説明する。本特殊演出の第３実施例では、図２、図３及び図２４（Ａ）、（Ｂ）に示すように、演出図柄表示装置６２の表示面６２Ａの角部にある４つランプ表示装置２００Ａ、２００Ｂ、２００Ｃ、２００Ｄの遮蔽部材２０４Ａ、２０４Ｂ、２０４Ｃ、２０４Ｄが同時に開いて内部の発光素子２０２Ａ、２０２Ｂ、２０２Ｃ、２０２Ｄが同時に発光する。
【００８７】
すなわち、図１０に示すように、通常遊技状態（大当り遊技、確変遊技、時短遊技以外の遊技（例えば、遊技開始時））には、全てのランプ表示装置２００Ａ、２００Ｂ、２００Ｃ、２００Ｄは、遮蔽部材２０４Ａ、２０４Ｂ、２０４Ｃ、２０４Ｄにより発光素子２０２Ａ、２０２Ｂ、２０２Ｃ、２０２Ｄが覆われた状態（隠れた状態）になっている。このため、遊技者は、各ランプ表示装置２００Ａ、２００Ｂ、２００Ｃ、２００Ｄの発光素子２０２Ａ、２０２Ｂ、２０２Ｃ、２０２Ｄを視認することができず、ひいてはランプ表示装置２００Ａ、２００Ｂ、２００Ｃ、２００Ｄの存在を容易に気付くことはできない。
【００８８】
そして、遊技者に有利な遊技状態（大当り遊技、確変遊技、時短遊技のいずれかの遊技状態）になると、図２５に示すように、演出図柄表示装置６２の表示面６２の角部にある４つのランプ表示装置２００Ａ、２００Ｂ、２００Ｃ、２００Ｄの遮蔽部材２０４Ａ、２０４Ｂ、２０４Ｃ、２０４Ｄが同時に開き、内部の発光素子２０２Ａ、２０２Ｂ、２０２Ｃ、２０２Ｄが同時に発光する（ランプ表示装置２００Ａ、２００Ｂ、２００Ｃ、２００Ｄの点灯演出）。
【００８９】
また、４つのランプ表示装置２００Ａ、２００Ｂ、２００Ｃ、２００Ｄの発光素子２０２Ａ、２０２Ｂ、２０２Ｃ、２０２Ｄの発光と同時に、演出図柄表示装置６２の表示面６２Ａの右上から左下にわたって所定の図柄が表示され、かつ演出図柄表示装置６２の表示面６２Ａの左上から右下にわたって所定の図柄が表示される（演出図柄表示装置６２の図柄表示演出）。換言すれば、演出図柄表示装置６２の表示面６２Ａにクロス状の稲妻光が一時に表示される。
【００９０】
特殊演出の第３実施例によれば、各ランプ表示装置２００Ａ、２００Ｂ、２００Ｃ、２００Ｄの点灯演出と演出図柄表示装置６２の図柄表示演出とが時差なく同時に実行される。このため、演出図柄表示装置６２の表示面６２Ａの外側右上から、演出図柄表示装置６２の表示面６２Ａの右上から左下にわたる領域を経て、演出図柄表示装置６２の表示面６２Ａの外側左下まで、にかけて１本の稲妻の光っている演出と、演出図柄表示装置６２の表示面６２Ａの外側左上から、演出図柄表示装置６２の表示面６２Ａの左上から右下にわたる領域を経て、演出図柄表示装置６２の表示面６２Ａの外側右下まで、にかけて１本の稲妻の光っている演出と、が同時に実現される。そして、これを見た遊技者は、あたかもクロス状に光る稲妻光であるかのように認識する。
【００９１】
なお、図２及び図１０に示すように、遊技者に有利な遊技状態が終了すると、全てのランプ表示装置２００Ａ、２００Ｂ、２００Ｃ、２００Ｄの遮蔽部材２０４Ａ、２０４Ｂ、２０４Ｃ、２０４Ｄが各発光素子２０２Ａ、２０２Ｂ、２０２Ｃ、２０２Ｄを覆うように移動する。これにより、全てのランプ表示装置２００Ａ、２００Ｂ、２００Ｃ、２００Ｄの発光素子２０２Ａ、２０２Ｂ、２０２Ｃ、２０２Ｄが隠れてしまい、遊技者に視認不可能となる。
【００９２】
ここで、上記３種類の特殊演出については、例えば、第１実施例の特殊演出は確変遊技状態のときに実行し、第２実施例の特殊演出は時短遊技状態のときに実行し、第３実施例の特殊演出は大当り遊技状態のときに実行するように、各遊技状態と対応付けて実行するようにしてもよい。
【００９３】
また、図４に示すように、主制御基板１０２のＣＰＵ１０２Ａが入手する乱数値と３種類の特殊演出の態様とを対応付けて、主制御基板１０２のＣＰＵ１０２Ａが入手した乱数値に対応した特殊演出を実行するようにしてもよい。
【００９４】
上述したように、図２、図３、図４及び図５に示すように、装飾駆動基板１１４のＲＯＭ１１５に、各実施例の特殊演出の対応した各ランプ表示装置２００Ａ、２００Ｂ、２００Ｃ、２００Ｄの各発光素子２０２Ａ、２０２Ｂ、２０２Ｃ、２０２Ｄの発光順序及び各遮蔽部材２０４Ａ、２０４Ｂ、２０４Ｃ、２０４Ｄの開閉順序を記憶したプログラムが記憶されている。また、演出表示ＲＯＭ１６８には、演出図柄表示装置６２の表示面６２Ａで変動表示される図柄のデータが記憶されているが、特に、各実施例の特殊演出に対応するように、各ランプ表示装置２００Ａ、２００Ｂ、２００Ｃ、２００Ｄによる発光演出と連携する図柄（例えば、稲妻光の画像など）のデータが記憶されている。
【００９５】
サブ制御基板１０６は、各実施例の特殊演出を特定する制御信号を演出表示基板１１０及び装飾駆動基板１１４に対して出力する。演出表示基板１１０は、サブ制御基板１０６からの制御信号を受けて、演出表示ＲＯＭ１６８に記憶された図柄データに基づいて、演出図柄表示装置６２の表示面６２Ａで特殊演出を構成する図柄演出を実行する。また、装飾駆動基板１１４は、サブ制御基板１０６からの制御信号を受けて、各ソレノイド２０６Ａ、２０６Ｂ、２０６Ｃ、２０６Ｄを駆動制御し、各遮蔽部材２０４Ａ、２０４Ｂ、２０４Ｃ、２０４Ｄの開閉動作を実現する。さらに、装飾駆動基板１１４は、サブ制御基板１０６からの制御信号を受けて、各発光素子２０２Ａ、２０２Ｂ、２０２Ｃ、２０２Ｄを発光制御する。
【００９６】
以上のように、第１実施形態によれば、図２及び図１０に示すように、遊技開始時（その他、通常遊技状態など）では、４つのランプ表示装置２００Ａ、２００Ｂ、２００Ｃ、２００Ｄの全ての遮蔽部材２０４Ａ、２０４Ｂ、２０４Ｃ、２０４Ｄが発光素子２０２Ａ、２０２Ｂ、２０２Ｃ、２０２Ｄを覆っている状態であるため、遊技者は、ランプ表示装置２００Ａ、２００Ｂ、２００Ｃ、２００Ｄの発光素子２０２Ａ、２０２Ｂ、２０２Ｃ、２０２Ｄの存在を知らないことになる。
【００９７】
そして、遊技に関して所定の条件（例えば、大当り遊技など遊技者に有利な遊技状態）が成立したときに、上述したような演出図柄表示装置６２における図柄表示演出とランプ表示装置２００Ａ、２００Ｂ、２００Ｃ、２００Ｄにおける点灯演出との組み合わせによって完成する特殊演出が実行される。このとき、各ランプ表示装置２００Ａ、２００Ｂ、２００Ｃ、２００Ｄの遮蔽部材２０４Ａ、２０４Ｂ、２０４Ｃ、２０４Ｄが開いて、内部の発光素子２０２Ａ、２０２Ｂ、２０２Ｃ、２０２Ｄが露呈するとともに、発光制御が開始される。これにより、遊技者は、発光素子２０２Ａ、２０２Ｂ、２０２Ｃ、２０２Ｄの存在にはじめて気付き、しかも、発光素子２０２Ａ、２０２Ｂ、２０２Ｃ、２０２Ｄの発光による点灯演出が演出図柄表示装置６２の表示面６２Ａにおける図柄演出と連携して一体的な特殊演出（例えば、クロス状に光る稲妻光）として認識することになる。この特殊演出を受けて、遊技者は、斬新な遊技演出と認識し、遊技に対する期待を高め、さらに遊技に集中することになる。この結果、遊技興趣を高めることができる。
【００９８】
特に、遊技者は、各ランプ表示装置２００Ａ、２００Ｂ、２００Ｃ、２００Ｄの各遮蔽部材２０４Ａ、２０４Ｂ、２０４Ｃ、２０４Ｄが突然開くと、その内部を注目する。そして、各ランプ表示装置２００Ａ、２００Ｂ、２００Ｃ、２００Ｄの各遮蔽部材２０４Ａ、２０４Ｂ、２０４Ｃ、２０４Ｄが開いた順番に点灯演出が開始されるため、遊技者の視線を、点灯演出を実行するランプ表示装置２００Ａ、２００Ｂ、２００Ｃ、２００Ｄに誘導することができる。このように、遮蔽部材２０４Ａ、２０４Ｂ、２０４Ｃ、２０４Ｄの動作と発光素子２０２Ａ、２０２Ｂ、２０２Ｃ、２０２Ｄの発光とを連動させることにより、遊技者の注意を引き付けた状態で点灯演出を実行することができる。この結果、点灯演出を遊技者に強くアピールすることができる。
【００９９】
また、演出図柄表示装置６２における図柄表示演出とランプ表示装置２００Ａ、２００Ｂ、２００Ｃ、２００Ｄにおける点灯演出との組み合わせによって完成する特殊演出は、３種類存在する。そして、遊技状態や乱数値に応じて、３種類の特殊演出のうち一の特殊演出が特定されて実行される。このように、複数種類の特殊演出を予め備え、特殊演出のバリエーションを増やすことにより、遊技者は特殊演出に飽きることがなくなるため、遊技性を一層高めることができる。また、特殊演出を実行するためのプログラムデータをサブ制御基板１０６、演出表示ＲＯＭ１６８、装飾駆動基板１１４のＲＯＭ１１５に記憶させておくことにより、特殊演出を容易に実行することができるとともに、特殊演出の内容を自在に変更（リニューアル）することができる。
【０１００】
次に、本発明の第２実施形態に係るパチンコ機について説明する。
なお、第１実施形態に係るパチンコ機と重複する構成には同符号を付し、その説明を省略する。
【０１０１】
第２実施形態のパチンコ機は、第２実施形態のパチンコ機と比較して、ランプ表示装置２００Ａ、２００Ｂ、２００Ｃ、２００Ｄの構成の一部を変更したものである。なお、４つのランプ表示装置２００Ａ、２００Ｂ、２００Ｃ、２００Ｄは全て同じ構成であるため、１つのランプ表示装置２００Ａを例にとり、その構成を説明する。
【０１０２】
すなわち、図２６及び図２７に示すように、ランプ表示装置２００Ａの発光素子（ＬＥＤ群）２０２Ａは、遊技盤２６に形成された穴部２７に配置されている。そして、発光素子２０２Ａの周囲には光を透過する透光部材２０８が設けられている。また、遊技盤２６の内部には、穴部２６に連通する内部空間部２９が形成されている。この内部空間部２９に、遮蔽部材２０４Ａと接続するソレノイド２０６Ａが収容されている。
【０１０３】
第２実施形態によれば、ソレノイド２０６Ａに対する通電制御により遮蔽部材２０４Ａが穴部２７の開口部を開放し、あるいは閉塞する。これにより、発光素子２０２Ａが露呈したり、隠れたりする。このようにして、ランプ表示装置２００Ａの存在を遊技者に隠したり、あるいは点灯演出の際に露呈させたりすることができる。なお、ランプ表示装置２００Ａの点灯演出の内容については、第１実施形態と同様であるため、説明を省略する。
【０１０４】
特に、ランプ表示装置２００Ａは、センター役物６４の内部ではなく、遊技盤２６の内部に配置した構成にしたことにより、センター役物６４を設けないパチンコ機や小型のセンター役物６４を設けたパチンコ機に対しても、容易に設けることができる。
【０１０５】
また、センター役物６４の内部と遊技盤２６の内部の両方にランプ表示装置２００Ａを配置した場合は、稲妻光の縦方向の長さ第１実施形態より長く隠すことができる。これにより、より迫力のある稲妻光の演出を見せることができる。
【０１０６】
次に、本発明の第３実施形態に係るパチンコ機について説明する。
なお、第１実施形態に係るパチンコ機と重複する構成には同符号を付し、その説明を省略する。
【０１０７】
第３実施形態のパチンコ機は、第１実施形態のパチンコ機と比較して、ランプ表示装置２００Ａ、２００Ｂ、２００Ｃ、２００Ｄの構成の一部を変更したものである。なお、４つのランプ表示装置２００Ａ、２００Ｂ、２００Ｃ、２００Ｄは全て同じ構成であるため、１つのランプ表示装置２００Ａを例にとり、その構成を説明する。
【０１０８】
すなわち、図２８及び図２９に示すように、ランプ表示装置２００Ａの発光素子２０２Ａの周囲に反射ミラー（反射部材）２１０が配置されている。通常、発光素子２０２Ａが発光すると、発光素子２０２Ａの周囲を光が放射状に進むことになるが、発光素子２０２Ａの背面側に進んだ光を反射させることにより、発光素子２０２Ａの光量を補充することができる。
【０１０９】
第３実施形態によれば、発光素子２０２Ａが僅かな光量の光しか出射できない場合でも、反射ミラー２１０で光を反射させることにより、光量を集中させることができる。これにより、発光素子２０２Ａの光量を効率良く補充することができるため、遊技者に点灯演出を強くアピールすることができる。
【図面の簡単な説明】
【０１１０】
【図１】本発明の第１実施形態に係る遊技機の正面図である。
【図２】本発明の第１実施形態に係る遊技機の遊技盤であってランプ表示装置が露呈していない状態の正面図である。
【図３】本発明の第１実施形態に係る遊技機の遊技盤であってランプ表示装置が露呈している状態の正面図である。
【図４】本発明の第１実施形態に係る遊技機の電子制御装置の一部の構成を示すブロック図である。
【図５】本発明の第１実施形態に係る遊技機の電子制御装置を構成するサブ制御基板を説明するための説明図である。
【図６】本発明の第１実施形態に係る遊技機のランプ表示装置の発光部材が遮蔽部材で覆われた状態の構成図である。
【図７】本発明の第１実施形態に係る遊技機のランプ表示装置の発光部材が露呈した状態の構成図である。
【図８】本発明の第１実施形態に係る遊技機のランプ表示装置の遮蔽部材の表面を示した説明図である。
【図９】本発明の各実施形態に係る遊技機で実行される特殊演出の第１実施例における遮蔽部材の開動作の順序を示した説明図である。
【図１０】本発明の各実施形態に係る遊技機で実行される特殊演出の第１実施例において全てのランプ装置の発光部材が遮蔽部材に覆われて隠れている状態の演出図柄表示装置を示した正面図である。
【図１１】本発明の各実施形態に係る遊技機で実行される特殊演出の第１実施例において右上のランプ装置の発光部材が露呈して発光している状態の演出図柄表示装置を示した正面図である。
【図１２】本発明の各実施形態に係る遊技機で実行される特殊演出の第１実施例において右上のランプ装置の発光部材が露呈して発光し、かつ右上から左下にかけて図柄表示演出が実行されている状態の演出図柄表示装置を示した正面図である。
【図１３】本発明の各実施形態に係る遊技機で実行される特殊演出の第１実施例において右上及び左下のランプ装置の発光部材が露呈して発光し、かつ右上から左下にかけて図柄表示演出が実行されている状態の演出図柄表示装置を示した正面図である。
【図１４】本発明の各実施形態に係る遊技機で実行される特殊演出の第１実施例において右上、左下及び左上のランプ装置の発光部材が露呈して発光し、かつ右上から左下にかけて図柄表示演出が実行されている状態の演出図柄表示装置を示した正面図である。
【図１５】本発明の各実施形態に係る遊技機で実行される特殊演出の第１実施例において右上、左下及び左上のランプ装置の発光部材が露呈して発光し、かつ右上から左下、及び左上から右下にかけて図柄表示演出が実行されている状態の演出図柄表示装置を示した正面図である。
【図１６】本発明の各実施形態に係る遊技機で実行される特殊演出の第１実施例において右上、左下、左上及び右下のランプ装置の発光部材が露呈して発光し、かつ右上から左下、及び左上から右下にかけて図柄表示演出が実行されている状態の演出図柄表示装置を示した正面図である。
【図１７】本発明の各実施形態に係る遊技機で実行される特殊演出の第２実施例における遮蔽部材の開動作の順序を示した説明図である。
【図１８】本発明の各実施形態に係る遊技機で実行される特殊演出の第２実施例において右下のランプ装置の発光部材が露呈して発光している状態の演出図柄表示装置を示した正面図である。
【図１９】本発明の各実施形態に係る遊技機で実行される特殊演出の第２実施例において右下のランプ装置の発光部材が露呈して発光し、かつ右下から左上にかけて図柄表示演出が実行されている状態の演出図柄表示装置を示した正面図である。
【図２０】本発明の各実施形態に係る遊技機で実行される特殊演出の第２実施例において右下及び左上のランプ装置の発光部材が露呈して発光し、かつ右下から左上にかけて図柄表示演出が実行されている状態の演出図柄表示装置を示した正面図である。
【図２１】本発明の各実施形態に係る遊技機で実行される特殊演出の第２実施例において右下、左上及び右上のランプ装置の発光部材が露呈して発光し、かつ右下から左上にかけて図柄表示演出が実行されている状態の演出図柄表示装置を示した正面図である。
【図２２】本発明の各実施形態に係る遊技機で実行される特殊演出の第２実施例において右下、左上及び右上のランプ装置の発光部材が露呈して発光し、かつ右下から左上、及び右上から左下にかけて図柄表示演出が実行されている状態の演出図柄表示装置を示した正面図である。
【図２３】本発明の各実施形態に係る遊技機で実行される特殊演出の第２実施例において右下、左上、右上及び左下のランプ装置の発光部材が露呈して発光し、かつ右下から左上、及び右上から左下にかけて図柄表示演出が実行されている状態の演出図柄表示装置を示した正面図である。
【図２４】本発明の各実施形態に係る遊技機で実行される特殊演出の第３実施例における遮蔽部材の開動作の順序を示した説明図である。
【図２５】本発明の各実施形態に係る遊技機で実行される特殊演出の第３実施例において右下、左上、右上及び左下のランプ装置の発光部材が露呈して発光し、かつ右下から左上、及び右上から左下にかけて図柄表示演出が実行されている状態の演出図柄表示装置を示した正面図である。
【図２６】本発明の第２実施形態に係る遊技機のランプ表示装置の発光部材が遮蔽部材で覆われた状態の構成図である。
【図２７】本発明の第２実施形態に係る遊技機のランプ表示装置の発光部材が露呈した状態の構成図である。
【図２８】本発明の第３実施形態に係る遊技機のランプ表示装置の発光部材が遮蔽部材で覆われた状態の構成図である。
【図２９】本発明の第３実施形態に係る遊技機のランプ表示装置の発光部材が露呈した状態の構成図である。
【符号の説明】
【０１１１】
１０        パチンコ機（遊技機）
６２        演出図柄表示装置（図柄表示装置）
１０６      サブ制御基板（演出制御手段）
１１５      ＲＯＭ（記憶手段）
２００Ａ    ランプ表示装置
２００Ｂ    ランプ表示装置
２００Ｃ    ランプ表示装置
２００Ｄ    ランプ表示装置
２０２Ａ    発光素子（発光部材）
２０２Ｂ    発光素子（発光部材）
２０２Ｃ    発光素子（発光部材）
２０２Ｄ    発光素子（発光部材）
２０４Ａ    遮蔽部材
２０４Ｂ    遮蔽部材
２０４Ｃ    遮蔽部材
２０４Ｄ    遮蔽部材
２０６Ａ    ソレノイド（駆動制御手段）
２０６Ｂ    ソレノイド（駆動制御手段）
２０６Ｃ    ソレノイド（駆動制御手段）
２０６Ｄ    ソレノイド（駆動制御手段）
２１０      反射ミラー（反射部材）
【図１】
2009240433.tif 000003
【図２】
2009240433.tif 000004
【図３】
2009240433.tif 000005
【図４】
2009240433.tif 000006
【図５】
2009240433.tif 000007
【図６】
2009240433.tif 000008
【図７】
2009240433.tif 000009
【図８】
2009240433.tif 000010
【図９】
2009240433.tif 000011
【図１０】
2009240433.tif 000012
【図１１】
2009240433.tif 000013
【図１２】
2009240433.tif 000014
【図１３】
2009240433.tif 000015
【図１４】
2009240433.tif 000016
【図１５】
2009240433.tif 000017
【図１６】
2009240433.tif 000018
【図１７】
2009240433.tif 000019
【図１８】
2009240433.tif 000020
【図１９】
2009240433.tif 000021
【図２０】
2009240433.tif 000022
【図２１】
2009240433.tif 000023
【図２２】
2009240433.tif 000024
【図２３】
2009240433.tif 000025
【図２４】
2009240433.tif 000026
【図２５】
2009240433.tif 000027
【図２６】
2009240433.tif 000028
【図２７】
2009240433.tif 000029
【図２８】
2009240433.tif 000030
【図２９】
2009240433.tif 000031